(57)【要約】    【課題】  既設消火栓等の蓋にも採用できるとともに、メンテナンス性にも優れた屋外の標識灯装置を提供する。    【解決手段】  蓋(10)には取付け穴を蓋の強度を低下させない大きさに形成し、取付け穴には有底筒状の取付けケース(21)をその上端縁が蓋とほぼ面一となるように挿入して両者の間を溶接によって固定し、取付けケース内には標識灯回路を封止した樹脂封止体(22)を蓋とほぼ面一となるように挿入する。取付け穴は穿設してもよく、蓋の鋳造時に造型してもよい。また、蓋にはその鋳造時に取付け凹部(15)を形成しておき、取付けケースを取付け凹部に嵌め込むようにしてもよい。【選択図】  図６
2004295069.tif 000002
【特許請求の範囲】
【請求項１】
屋外に設置される消火栓やマンホール等の屋外装備品の蓋に標識灯装置を取付ける方法であって、
屋外装備品の蓋の少なくとも裏面が溶接可能な部位に取付け穴を穿孔し、
少なくとも外側面が溶接可能な有底筒状の取付けケースを上記蓋の取付け穴に挿入してその上端縁を蓋とほぼ面一とし、その状態で取付けケースの外側面と蓋裏面の取付け穴周縁部分との間を全周にわたって連続的又は間欠的に溶接し、
太陽電池及び該太陽電池によって発光される発光体とを少なくとも含む標識灯回路を封止した樹脂封止体を、その上面が上記蓋とほぼ面一となるように上記取付けケース内に挿入するようにしたことを特徴とする屋外標識灯装置の取付け方法。
【請求項２】
屋外に設置される消火栓やマンホール等の屋外装備品の蓋に標識灯装置を取付ける方法であって、
取付け穴を有しかつ該取付け穴の少なくとも裏側周縁部分を溶接可能となした屋外装備品の蓋を製造し、
少なくとも外側面が溶接可能な有底筒状の取付けケースを上記蓋の取付け穴に挿入してその上端縁を蓋とほぼ面一とし、その状態で取付けケースの外側面と蓋裏面の取付け穴周縁部分との間を全周にわたって連続的又は間欠的に溶接し、
太陽電池及び該太陽電池によって発光される発光体とを少なくとも含む標識灯回路を封止した樹脂封止体を、その上面が上記蓋とほぼ面一となるように上記取付けケース内に挿入するようにしたことを特徴とする屋外標識灯装置の取付け方法。
【請求項３】
屋外に設置される消火栓やマンホール等の屋外装備品の蓋に標識灯装置を取付ける方法であって、
内面有底筒状の取付け凹部を有する屋外装備品の蓋を製造し、
有底筒状の取付けケースを上記蓋の取付け凹部に上端縁がほぼ面一となるように挿入し、
該取付けケースに、太陽電池及び該太陽電池によって発光される発光体とを少なくとも含む標識灯回路を封止した樹脂封止体をその上面がほぼ面一となるように挿入するようにしたことを特徴とする屋外標識灯装置の取付け方法。
【請求項４】
屋外に設置される消火栓やマンホール等の屋外装備品の蓋に標識灯装置を取付ける方法であって、
屋外装備品の蓋に取付け穴を穿孔するともに、該取付け穴の内周面に段部状又は上拡がりテーパー状の受け部を形成し、
有底筒状の取付けケースの上端部にフランジ状又は下拡がりテーパー状の係止部を形成し、該取付けケースをその上端縁が蓋とほぼ面一となるように上記蓋の取付け穴に挿入して上記係止部を上記受け部に当接させるとともに、硬化後に弾性を保有する接着剤によって少なくとも上記取付けケースの係止部を上記取付け穴の受け部に接着し、
太陽電池及び該太陽電池によって発光される発光体とを少なくとも含む標識灯回路を封止した樹脂封止体を、その上面が上記蓋とほぼ面一となるように上記取付けケース内に挿入するようにしたことを特徴とする屋外標識灯装置の取付け方法。
【請求項５】
屋外に設置される消火栓やマンホール等の屋外装備品の蓋に取付けられた屋外標識灯装置であって、
取付け穴を有しかつ該取付け穴の少なくとも裏側周縁部分が溶接可能である屋外装備品の蓋と、
少なくとも外側面が溶接可能に設けられ、上記取付け穴に挿入されてその上端縁を上記蓋とほぼ面一とした状態でケース外側面と蓋裏面の取付け穴周縁部分との間が溶接によって固定された有底筒状の取付けケースと、
その上面が上記蓋とほぼ面一になるように上記取付けケース内に挿入され、太陽電池及び該太陽電池によって発光される発光体とを少なくとも含む標識灯回路を封止した樹脂封止体と、
を備えたことを特徴とする屋外標識灯装置。
【請求項６】
屋外に設置される消火栓やマンホール等の屋外装備品の蓋に取付けられた屋外標識灯装置であって、
内面有底筒状の取付け凹部を有する屋外装備品の蓋と、
上端縁がほぼ面一となるように上記取付け凹部に挿入された有底筒状の取付けケースと、
その上面が上記蓋とほぼ面一になるように上記取付けケース内に挿入され、太陽電池及び該太陽電池によって発光される発光体とを少なくとも含む標識灯回路を封止した樹脂封止体と、
を備えたことを特徴とする屋外標識灯装置。
【請求項７】
屋外に設置される消火栓やマンホール等の屋外装備品の蓋に取付けられた屋外標識灯装置であって、
取付け穴が穿孔されるともに、該取付け穴の内周面に段部状又は上拡がりテーパー状の受け部が形成された屋外装備品の蓋と、
上端部にフランジ状又は下拡がりテーパー状の係止部が形成され、上端縁が上記蓋とほぼ面一となるように上記蓋の取付け穴に挿入されて上記係止部と上記受け部とが当接され、硬化後に弾性を保有する接着剤によって少なくとも上記係止部と上記取付け穴の受け部とが接着された有底筒状の取付けケースと、
その上面が上記蓋とほぼ面一になるように上記取付けケース内に挿入され、太陽電池及び該太陽電池によって発光される発光体とを少なくとも含む標識灯回路を封止した樹脂封止体と、
を備えたことを特徴とする屋外標識灯装置。
【発明の詳細な説明】
【技術分野】
【０００１】
本発明は屋外標識灯装置の取付け方法に関し、例えば自転車がパンクしたり歩行者がつまずいたりすることがなく、しかも蓋に確実に固定されて落下するおそれのないようにした取付け方法に関する。
【背景技術】
【０００２】
通常、道路に敷設された消火栓の蓋には鋳物で製作し、表面に消火栓の文字を立体的に形成した蓋、あるいは黄色等に着色した蓋が用いられているが、夜間において近くに適当な照明灯がないと消火栓を発見し難く、土砂や埃等が覆われていると特に探しにくく、消火栓の発見に手間取るとその分だけ消火作業が遅れてしまう。
【０００３】
そこで、消火栓の蓋に、太陽電池、発光ダイオード等の発光体及び通電回路を内蔵するようにした標識灯装置が種々提案されている（例えば、特許文献１、特許文献２、特許文献３、特許文献４、特許文献５、参照）
【０００４】
しかし、消火栓の数は全国的に見るとほぼ１３０万個に達する数であるにもかかわらず、標識灯装置を装備した消火栓がほとんどないのが実情である。
【０００５】
これに対し、本件発明者は、太陽電池及び発光体を含む標識灯回路を樹脂封止する一方、屋外に設置された既設消火栓の蓋に取付け穴を穿孔し、取付け穴に有底円筒状の取付けケースを挿入し、その上端縁を蓋とほぼ面一とした状態で取付けケースの上端縁と取付け穴周縁との間を溶接によって固定し、取付けケース内に樹脂封止体を蓋とほぼ面一となるように挿入するようにした屋外標識灯装置を開発し、出願するに至った（特許文献６、参照）。この標識灯装置は既設消火栓の蓋に採用できるとともに、標識灯が破損した時にも容易に交換できるなど、メンテナンス性にも優れるという利点を有する。
【特許文献１】実開平０３−６５７７０号公報
【特許文献２】実開平０３−１１６５００号公報
【特許文献３】特開平０５−７９０６６号公報
【特許文献４】特開平０６−３９０５２号公報
【特許文献５】特開平１１−３０９６５号公報
【特許文献６】実用新案登録第３０８６２６５号公報
【発明の開示】
【発明が解決しようとする課題】
【０００６】
しかし、本件発明者らの開発に係る上記公報記載の標識灯装置では取付けケース周縁の溶接部分が大きく盛り上がっていると、自転車のタイヤがパンクしたり歩行者が標識灯装置につまずいたりするおそれがあり、取付けケース周縁の溶接部分をグライダー等で研磨しておく必要があるが、研磨を行うと溶接部分の強度不足を生ずることがあり、長期にわたり自動車のタイヤによって踏まれ続けると、溶接部分にクラック等が入り、標識灯装置が取付けケースごと落下してしまうおそれがあった。
【０００７】
本発明はかかる点に鑑み、自転車がパンクしたり歩行者がつまずいたりすることがなく、しかも蓋に確実に固定されて落下するおそれのないようにすることを課題とする。
【課題を解決するための手段】
【０００８】
そこで、本発明に係る屋外標識灯装置の取付け方法は、屋外に設置される消火栓やマンホール等の屋外装備品の蓋に標識灯装置を取付ける方法であって、屋外装備品の蓋の少なくとも裏面が溶接可能な部位に取付け穴を穿孔し、少なくとも外側面が溶接可能な有底筒状の取付けケースを上記蓋の取付け穴に挿入してその上端縁を蓋とほぼ面一とし、その状態で取付けケースの外側面と蓋裏面の取付け穴周縁部分との間を全周にわたって連続的又は間欠的に溶接し、太陽電池及び該太陽電池によって発光される発光体とを少なくとも含む標識灯回路を封止した樹脂封止体を、その上面が上記蓋とほぼ面一となるように上記取付けケース内に挿入するようにしたことを特徴とする。
【０００９】
本発明の特徴の１つは蓋に取付け穴を穿孔し、そこに取付けケースをほぼ面一になるように挿入し、ケース側面と蓋裏面の取付け穴周縁とを溶接し、標識灯回路を内蔵する樹脂封止体を取付けケース内に挿入するようにした点にある。
【００１０】
これにより、取付けケースの溶接部分は蓋の裏面側になるので、溶接部分を十分に溶け込ませて大きく盛り上がった形状としても、自転車のタイヤがパンクしたり歩行者が標識灯装置につまずいたりするおそれはなく、取付けケース周縁の溶接部分をグライダー等で研磨しておく必要もない。その結果、取付けケース周縁の溶接部分を十分に高強度とすることができ、長期にわたって自動車のタイヤによって踏まれ続けても標識灯装置が取付けケースごと落下することはなく、製品の信頼性を大幅にアップできる。
【００１１】
また、穴あけ加工と溶接という簡単な作業によって既設消火栓等の蓋に標識灯装置を装備できる。
【００１２】
さらに、発光体が損傷する等、装置が劣化した時には蓋裏面の取付けケースの溶接部分をグラインダ等を用いて削ると、取付けケースを取外すことができるので、標識灯回路を樹脂封止毎交換することができ、メンテナンス性も優れる結果、コスト高を招来することなく消火栓等の標識灯装置を普及できることが期待される。
【００１３】
取付け穴は四角形状としてもよいが、四角形の角部にクラックが入り、蓋自体の強度低下が懸念される場合には取付け穴を円形にすればよく、取付け穴の周縁にクラックが入るおそれはなく、蓋の強度を保証できる。
【００１４】
取付けケースの上端縁を蓋と面一とし、取付けケース内に樹脂封止体を面一に挿入しているので、自動車のタイヤが樹脂封止体を踏みつけても標識灯回路が大きな損傷を受けるおそれがなく、装置の信頼性を保証できる。
【００１５】
取付けケースのケース外側面と取付け穴周縁との間の溶接方法は特に限定されないが、溶接作業性という点を考慮すると、ガス溶接やＴＩＧ溶接等の方法がよいであろう。
【００１６】
上記では蓋に取付け穴を穿設するようにしたが、一般的に蓋が鋳造によって製造されることを考えると、取付け穴を有する蓋を製造するようにしてもよい。
【００１７】
即ち、本発明に係る屋外標識灯装置の取付け方法は、屋外に設置される消火栓やマンホール等の屋外装備品の蓋に標識灯装置を取付ける方法であって、取付け穴を有しかつ該取付け穴の少なくとも裏側周縁部分を溶接可能となした屋外装備品の蓋を製造し、少なくとも外側面が溶接可能な有底筒状の取付けケースを上記蓋の取付け穴に挿入してその上端縁を蓋とほぼ面一とし、その状態で取付けケースの外側面と蓋裏面の取付け穴周縁部分との間を全周にわたって連続的又は間欠的に溶接し、太陽電池及び該太陽電池によって発光される発光体とを少なくとも含む標識灯回路を封止した樹脂封止体を、その上面が上記蓋とほぼ面一となるように上記取付けケース内に挿入するようにしたことを特徴とする。
【００１８】
また、取付け凹部を有する蓋を製造し、これに樹脂封止体を入れた取付けケースを挿入するようにしてもよい。
【００１９】
即ち、本発明に係る屋外標識灯装置の取付け方法は、屋外に設置される消火栓やマンホール等の屋外装備品の蓋に標識灯装置を取付ける方法であって、内面有底筒状の取付け凹部を有する屋外装備品の蓋を製造し、有底筒状の取付けケースを上記蓋の取付け凹部に上端縁がほぼ面一となるように挿入し、該取付けケースに、太陽電池及び該太陽電池によって発光される発光体とを少なくとも含む標識灯回路を封止した樹脂封止体をその上面がほぼ面一となるように挿入するようにしたことを特徴とする。
【００２０】
また、取付け穴の内周面に受け部を、取付けケース上端部に係止部を形成し、係止部を受け部で受けるとともに、両者の間を弾性接着剤で接着するようにしてもよい。
【００２１】
即ち、本発明に係る屋外標識灯装置の取付け方法は、屋外に設置される消火栓やマンホール等の屋外装備品の蓋に標識灯装置を取付ける方法であって、屋外装備品の蓋に取付け穴を穿孔するともに、該取付け穴の内周面に段部状又は上拡がりテーパー状の受け部を形成し、有底筒状の取付けケースの上端部にフランジ状又は下拡がりテーパー状の係止部を形成し、該取付けケースを上記蓋の取付け穴に挿入してその上端縁を蓋とほぼ面一とするとともに、上記係止部を上記受け部に当接し、硬化後に弾性を保有する接着剤によって少なくとも上記取付けケースの係止部を上記取付け穴の受け部に接着し、太陽電池及び該太陽電池によって発光される発光体とを少なくとも含む標識灯回路を封止した樹脂封止体を、その上面が上記蓋とほぼ面一となるように上記取付けケース内に挿入するようにしたことを特徴とする。
【００２２】
本発明に係る取付け方法は消火栓の蓋に適用するとその効果が大きいが、道路に敷設された防火用水の蓋、ガス点検口の蓋や上下水道のマンホールの蓋にも同様に適用できる。
【００２３】
また、本発明に係る取付け方法は既設の消火栓やマンホール等の蓋に取付け穴を穿設して標識灯装置を取付ける場合に適用するとその効果が大きいが、新品の蓋に取付け穴を穿設しあるいは取付け穴や取付け凹部を有する新品の蓋を鋳造し、樹脂封止体を取付ける場合にも同様に適用できる。
【００２４】
上述の方法によって取付けられた屋外標識灯装置も新規である。即ち、本発明に係る屋外標識灯装置は、屋外に設置される消火栓やマンホール等の屋外装備品の蓋に取付けられた屋外標識灯装置であって、取付け穴を有しかつ該取付け穴の少なくとも裏側周縁部分が溶接可能である屋外装備品の蓋と、少なくとも外側面が溶接可能に設けられ、上記取付け穴に挿入されてその上端縁を上記蓋とほぼ面一とした状態でケース外側面と蓋裏面の取付け穴周縁部分との間が溶接によって固定された有底筒状の取付けケースと、その上面が上記蓋とほぼ面一になるように上記取付けケース内に挿入され、太陽電池及び該太陽電池によって発光される発光体とを少なくとも含む標識灯回路を封止した樹脂封止体と、を備えたことを特徴とする。
【００２５】
実際に道路に設置される消火栓の蓋の機械的特性を考慮すると、取付け穴は蓋の機械的強度を劣化させない程度の大きさ、例えば４５ｍｍ〜８５ｍｍの内径を有する円形穴をあけるのがよいことが確認された。
【００２６】
また、本発明に係る屋外の標識灯装置は、屋外に設置される消火栓やマンホール等の屋外装備品の蓋に取付けられた屋外標識灯装置であって、内面有底筒状の取付け凹部を有する屋外装備品の蓋と、上端縁がほぼ面一となるように上記取付け凹部に挿入された有底筒状の取付けケースと、その上面が上記蓋とほぼ面一になるように上記取付けケース内に挿入され、太陽電池及び該太陽電池によって発光される発光体とを少なくとも含む標識灯回路を封止した樹脂封止体と、を備えたことを特徴とする。
【００２７】
さらに、本発明に係る屋外に設置される消火栓やマンホール等の屋外装備品の蓋に取付けられた屋外標識灯装置であって、取付け穴が穿孔されるともに、該取付け穴の内周面に段部状又は上拡がりテーパー状の受け部が形成された屋外装備品の蓋と、上端部にフランジ状又は下拡がりテーパー状の係止部が形成され、上端縁が上記蓋とほぼ面一となるように上記蓋の取付け穴に挿入されて上記係止部と上記受け部とが当接され、硬化後に弾性を保有する接着剤によって少なくとも上記係止部が上記取付け穴の受け部に接着された有底筒状の取付けケースと、その上面が上記蓋とほぼ面一になるように上記取付けケース内に挿入され、太陽電池及び該太陽電池によって発光される発光体とを少なくとも含む標識灯回路を封止した樹脂封止体と、を備えたことを特徴とする。
【００２８】
風通しの悪い消火栓内は夏期の炎天下には１００°Ｃ近くまで昇温し、これが標識灯回路に伝わると回路が熱劣化するおそれがある。そこで、取付けケースと樹脂封止体との間には断熱材を介在させるのがよい。
【００２９】
樹脂封止体を取付けケース（又は断熱材）にほぼピッタリと密着する寸法、あるいは取付けケースを取付け凹部にほぼピッタリと密着する寸法に製作すると、樹脂封止体と取付けケースとの間、あるいは取付けケースを取付け凹部との間の空気が抜けず、挿入や交換がやり難くなる。
【００３０】
そこで、取付けケースの底面あるいは取付け凹部の底面には空気抜き用の小穴を穿設するのが好ましい。この空気抜き用の小穴は樹脂封止体と取付けケースあるいは取付けケースと取付け凹部とを固定するためのねじを挿通するための穴として利用してもよい。即ち、取付けケースは取付け凹部の底面にねじによって締結されることもできる。
【発明を実施するための最良の形態】
【００３１】
以下、本発明を図面に示す具体例に基づいて詳細に説明する。図１ないし図６は本発明に係る屋外標識灯装置の好ましい実施形態を示す。図において、蓋１０は消火栓及び上水道のマンホールの上端縁に開閉可能に枢支される蓋であって、鋳物を用いて四角形状に製作されている。
【００３２】
蓋１０の表面には消火栓及び上水道の文字１１、１２が立体的に形成され、又蓋１０の下辺側には２つの穴が穿設され、２つの穴にはコ字状の持上げ部材１３の両端部分がスライド自在に挿通されてその先端部には例えばナットの螺合等によって抜け止め部が形成されて抜け止めされており、持上げ部材１３を上方に引き上げることによって蓋１０を持ち上げることができるようになっている。
【００３３】
また、蓋１０の下辺近傍には本例の標識灯装置２０が装備されている。この標識灯装置２０において、蓋１０には４５ｍｍ以上、好ましくは５０ｍｍ（なお、蓋１０が大型の場合、８５ｍｍ以下、好ましくは８０ｍｍとするのがよい）の内径の取付け穴１４がボール盤を用いて穿孔され、該取付け穴１４には取付けケース２１が挿入されて固定されている。
【００３４】
取付けケース２１は例えばステンレス鋼を用いて蓋１０の取付け穴１４に嵌入し得る外径の有底円筒状に製作され、底面には空気抜き用の小穴２５が穿設されている。この取付けケース２１は蓋１０の取付け穴内に嵌入され、その上端縁が取付け穴周縁とほぼ面一にされ、取付けケース２１のケース外側面と蓋１０の裏側の取付け穴１４周縁との間が全周にわたって連続的又は間欠的に溶接されている。
【００３５】
また、取付けケース２１内には樹脂封止体２２が挿入され、その上面が蓋１０とほぼ面一とされ（樹脂封止体２２の上面の全部又は一部が球面状をなしている場合にはその最高部位が蓋１０から少し突出していてもよい）、樹脂封止体２２と取付けケース２１との間には断熱材２３が設けられている。断熱材２３にはシリコン樹脂材料を用いることができる。
【００３６】
樹脂封止体２２には例えば図５に示される標識灯回路が樹脂封止されている。本例の標識灯回路は太陽光を受けて電流を発生するとともに照度センサの機能を有するソーラパネル、バッテリの過充電を防止する過充電防止部、ソーラパネルの信号を受けて昼夜を判別し、夜間に表示部を点灯させる昼夜切換部、設定時間間隔で表示部を点滅させる断続信号発生部及び発光ダイオードを含む表示部から構成されている。なお、本発明は標識灯回路ではなく、標識灯装置の取付け方法に特徴があるので、標識灯回路は図５の回路構成に限定されるものではなく、他の回路構成、例えば図６に示される回路構成を採用することもできる。
【００３７】
本例の標識灯装置を後付けで装備する場合、消火栓及び上水道のマンホールの既設の蓋１０を取り外し、図３の(a)に示されるように、ボール盤を用い、取付けケース２１の外径よりも少し小径のドリル３０によって蓋１０に取付け穴の下穴１５を穿設し、図３の(b)に示されるように、下穴１５をガイドとし、取付けケース２１の外径と実質的に等しい外径のドリル３１によって取付け穴１４を穿設する。
【００３８】
次に、図３の(c)に示されるように、蓋１０の取付け穴１４に裏側から取付けケース２１を両者の端縁がほぼ面一になるように差し込み、取付けケース２１のケース側面と取付け穴１４周縁との間を例えばＴＩＧ溶接機３２と溶接棒３３を用いて全周にわたって連続的又は間欠的に溶接する。溶接棒３３は鋳物とステンレス鋼の両方に相性のよいものを選択する。また、ＴＩＧ溶接に代え、ガス溶接を用いてもよい。
【００３９】
取付けケース２１の取付けが済むと、取付けケース２１の内面に断熱材２３をセットして樹脂封止体２２を押し込む。すると、取付けケース２１内の空気が底面の空気抜き用の小穴２５から抜けるので、樹脂封止体２２を取付けケース２１内に軽くピッタリと取付けることができ、こうして図４に示されるように標識灯装置を取付けた蓋１０を消火栓及びマンホールに取り付けると、取付け作業が完了する。
【００４０】
所定の耐久期間が経過するなどして標識灯装置２０を交換する場合、蓋１０を消火栓及びマンホールから外し、蓋１０の裏側の取付けケース２１の溶接部分２６をグラインダ等によって削り、ハンマー等を用いて衝撃を与えると、取付けケース２１が蓋１０の取付け穴１４から簡単に外れるので、残った溶接部分２６をグラインダで削って滑らかにし、後は上記と同様にして取付けケース２１を溶接して断熱材２３及び樹脂封止体２２をセットすればよい。
【００４１】
また、何らかの理由で樹脂封止体２２のみを交換する必要がある場合にも蓋１０の裏側の空気抜き用の小穴２５からドライバー等の工具を差し込んで樹脂封止体２２を押し上げると，取付けケース２１から抜くことができるので、新しい樹脂封止体２２を取付けケース２１にセットすればよい。
【００４２】
以上のように、本例の屋外標識灯装置では取付けケース２１の溶接部分２６は蓋１０の裏側になるので、大きく盛り上がった溶接部分２６があっても、自転車のタイヤがパンクしたり歩行者が標識灯装置につまずいたりするおそれはなく、取付けケース２１の溶接部分をグライダー等で研磨しておく必要もない。
【００４３】
その結果、取付けケース２１の溶接部分２６を十分に溶け込ませて高い溶接強度とすることができ、長期にわたって自動車のタイヤによって踏まれ続けても標識灯装置が取付けケースごと落下することはなく、製品の信頼性を大幅にアップできる。
【００４４】
なお、本例では標識灯装置を既設の蓋に装備する場合について説明したが、新品の蓋に標識灯装置を取付ける場合にも同様に適用できる。また、本例では蓋に取付け穴を穿設する場合について説明したが、蓋鋳造用の鋳型を工夫し、新品の蓋の鋳造時に取付け穴を造型するようにしてもよい。
【００４５】
図７及び図８は第２の実施形態を示し、図において図１ないし図６と同一符号は同一又は相当部分を示す。本例の屋外標識灯装置では消火栓等の蓋１０は円形状をなし、その表面には消火栓を示す文字や図形が形成されている。
【００４６】
この蓋１０には蓋の鋳造時に有底円筒状の取付け凹部１５が同時に造型されており（図８の(c)参照）、取付け凹部１５の底面には挿通穴が穿設され、蓋１０の取付け凹部１５内には取付けケース２１が嵌め込まれている。
【００４７】
この取付けケース２１の底面にはねじ穴２７が形成され、該ねじ穴２７には取付け凹部１５の底面の挿通穴を挿通されたねじ１６が螺合され、これによって取付けケース２１は取付け凹部１５に固定されている。
【００４８】
また、取付けケース２１内には図８の(b)に示されるように断熱材２３がセットされて樹脂封止体２２が嵌め込まれている。この樹脂封止体２２は平面円形状をなし、その上面の一部は図８の(a)に示されるように球面状をなしている。
【００４９】
本例の屋外標識灯装置は蓋１０にその鋳造時に取付け凹部１５を形成しておく以外、蓋１０への標識灯装置の取付け方法は第１の実施形態と同様であるので、その詳細な説明は省略する。
【００５０】
また、樹脂封止体２２を取付けケース２１ごと取り外す場合にはねじ１６を弛めて抜き取り，取付け凹部１５の挿通穴からドライバー等の工具を差し込み、取付けケース２１を押し抜けばよい。
【００５１】
図９は第３の実施形態を示し、図において図１ないし図８と同一符号は同一又は相当部分を示す。本例では取付けケース２１及び樹脂封止体２２は平面四角形状をなし、樹脂封止体２２は図９の(b)に示されるように標識灯回路のデバイス２２Ａをポリカーボネート樹脂２２Ｂで封止して構成され、又樹脂封止体２２の上面は図９の(a)に示されるように平面八角形状の部分が球面状に形成されている。
【００５２】
本例の標識灯装置は取付けケース２１及び樹脂封止体２２の形状が平面四角形状である以外、第２の実施形態と同様である。したがって、蓋１０の取付け凹部１５（又は取付け穴）を平面四角形状に形成する以外、蓋１０への標識灯装置の取付け方法は第２の実施形態と同様である。
【００５３】
図１０は第４の実施形態を示し、図において図１ないし図９と同一符号は同一又は相当部分を示す。本例では樹脂封止体２２は平面四角形状をなし、図１０の(c)に示されるように標識灯回路のデバイス２２Ａをポリカーボネート樹脂２２Ｂで封止して構成され、又樹脂封止体２２の上面は図１０の(a)(b)に示されるように円形状の部分が球面状に形成されている。したがって、取付けケース２１及び蓋１０の取付け凹部１５についても平面四角形状に形成する必要がある。
【００５４】
本例の標識灯装置は取付けケース２１及び樹脂封止体２２の形状が平面四角形状である以外、第２の実施形態と同様である。したがって、蓋１０の取付け凹部１５を平面四角形状に形成する以外、蓋１０への標識灯装置の取付け方法は第２の実施形態と同様である。
【００５５】
図１１は第５の実施形態を示し、図において図１ないし図１０と同一符号は同一又は相当部分を示す。本例では蓋１０の取付け穴１４の内周面に段部状の受け部１４Ａを形成し、有底筒状の取付けケース２１の上端部にフランジ状の係止部２１Ａを形成し、取付けケース２１を蓋１０の取付け穴１４に挿入してその上端縁を蓋１０とほぼ面一とするとともに、取付け穴１４の受け部１４Ａで取付けケース２１の係止部２１Ａを受け、取付けケース２１の外側面と取付け穴１４の内周面との間に弾性接着剤（硬化後に弾性を保有する接着剤）４０、例えばオルガノシラン変成のエポキシ樹脂を主とする主剤と、ゴム変成型ポリアミド樹脂を主とする硬化剤との二成分からなる弾性接着剤を塗布して接着し、取付けケース２１内に樹脂封止体２２を断熱材２３を介して挿入している。
【００５６】
このように蓋１０の取付け穴１４に受け部１４Ａを、取付けケース２１に係止部２１Ａを形成し、係止部２１Ａを受け部１４Ａで受けるとともに、取付けケース２１の外側面と取付け穴１４の内周面との間を弾性接着剤４０で先着するようにする、溶接作業を行うことなく取付けケース２１を確実に取付け穴１４に固定することができ、自動車の車輪で踏まれても取付けケース２１が落下するおそれもない。
【００５７】
また、取付けケース２１と取付け穴１４との間を溶接によって固定した場合、気温の変化に起因して溶接部分に亀裂が入ると、自動車等の荷重によって亀裂が大きくなって取付けケース２１が落下するおそれがある。これに対し、本例では取付けケース２１と取付け穴１４との間に弾性接着剤４０が介在されているので、気温の変化に起因して取付けケース２１と蓋１０の熱膨張に差があっても弾性接着剤４０が熱膨張差を吸収し、取付けケース２１が落下するおそれはない。
【００５８】
図１２は第５の実施形態の変形例を示し、図１２の(a)に示す例では取付け穴14の受け部14Ａを取付け穴14の内周面の上端部に上拡がりテーパー状に形成する一方、取付けケース２１の係止部２１Ａを取付けケース２１の外側面の上端部に下拡がりテーパー状に形成し、該係止部２１Ａを取付け穴１４の受け部１４Ａで受けるようにしている。
【００５９】
図１２の(b)に示す例では取付け穴14の受け部14Ａを取付け穴14の内周面の高さ方向の全部に上拡がりテーパー状に形成する一方、取付けケース２１の係止部２１Ａを取付けケース２１の外側面の高さ方向の全部に下拡がりテーパー状に形成している。
【００６０】
このように、受け部１４Ａ及び係止部２１Ａは段部状及びフランジ状ではなくテーパー状に形成してもよい。
【図面の簡単な説明】
【００６１】
【図１】本発明に係る屋外の標識灯装置の好ましい実施形態を示す全体概略平面図である。
【図２】上記実施形態における取付けケース(a)及び樹脂封止体(b)(c)を示す図である。
【図３】上記実施形態における取付け方法を模式的に示す図である。
【図４】上記実施形態における要部を示す図である。
【図５】上記実施形態における標識灯回路の１例を示す図である。
【図６】上記実施形態における標識灯回路の他の例を示す図である。
【図７】第２の実施形態を示す全体概略平面図である。
【図８】上記実施形態における取付け方法を模式的に示す図である。
【図９】第３の実施形態における取付けケース及び樹脂封止体を示す図である。
【図１０】第４の実施形態における樹脂封止体を示す図である。
【図１１】第５の実施形態を示す断面構成図である。
【図１２】第５の実施形態の変形例を示す図である。
【符号の説明】
【００６２】
１０        蓋
１４        取付け穴
１４Ａ      受け部
１５        取付け凹部
２０        標識灯装置
２１        取付けケース
２１Ａ      係止部
２２        樹脂封止体
２３        断熱材
２５        空気抜き用小穴
２６        溶接部分
【図１】
2004295069.tif 000003
【図２】
2004295069.tif 000004
【図３】
2004295069.tif 000005
【図４】
2004295069.tif 000006
【図５】
2004295069.tif 000007
【図６】
2004295069.tif 000008
【図７】
2004295069.tif 000009
【図８】
2004295069.tif 000010
【図９】
2004295069.tif 000011
【図１０】
2004295069.tif 000012
【図１１】
2004295069.tif 000013
【図１２】
2004295069.tif 000014